(57)【要約】【課題】補助加熱ローラを用いてもトナー等の異物が加圧ローラまたは加熱ローラに転移（再付着）することがなく、従って画像汚れが発生しない定着装置を有する画像記録装置を提供すること。【解決手段】加熱回転体と、加圧回転体と、内部に熱源を配設し前記加熱回転体または前記加圧回転体の表面に接する補助加熱回転体とを備え、トナー像を搭載した記録材を加熱及び圧接により定着する定着装置を有する画像記録装置において、かきとり部材を、当該かきとり部材の先端が前記補助加熱回転体の表面に当接するように配設したことを特徴とする画像記録装置。【選択図】　　　　図２
2004020803.tif 000002
【特許請求の範囲】
【請求項１】
加熱回転体と、当該加熱回転体に圧接する加圧回転体と、内部に熱源を配設し前記加熱回転体または前記加圧回転体の表面に接するように配設された補助加熱回転体とを備え、トナー像を搭載した記録材を前記加熱回転体と前記加圧回転体との加熱及び圧接により定着する定着装置を有する画像記録装置において、
かきとり部材を、当該かきとり部材の先端が前記補助加熱回転体の表面に当接するように配設したことを特徴とする定着装置を有する画像記録装置。
【請求項２】
前記トナー像を形成するトナーは、熱可塑性トナーであることを特徴とする請求項１に記載の画像記録装置。
【請求項３】
前記かきとり部材を厚さ０．０５〜０．２ｍｍの板状の部材で形成することを特徴とする請求項１または２に記載の画像記録装置。
【請求項４】
前記補助加熱回転体の外周近傍に配設された温度検出センサによる検知温度が所定の温度以下に低下したとき、制御部からの指令により前記加熱回転体または前記加圧回転体の駆動回転が阻止され、従動回転する前記補助加熱回転体が回転を停止するように構成されていることを特徴とする請求項１乃至３のいずれか１項に記載の画像記録装置。
【請求項５】
前記補助加熱回転体の外周近傍に配設された温度検出センサによる検知温度が所定の温度に上昇したとき、制御部からの指令により前記加熱回転体または前記加圧回転体の駆動回転阻止が解除され、前記補助加熱回転体が従動回転するように構成されていることを特徴とする請求項１乃至４のいずれか１項に記載の画像記録装置。
【発明の詳細な説明】
【０００１】
【発明の属する技術分野】
本発明は複写機、プリンタ等の画像記録装置に関し、特に加熱回転体、加圧回転体、及び補助加熱回転体を備えた定着装置を有する画像記録装置に関する。
【０００２】
【従来の技術】
複写機、ファクシミリ、レーザプリンタ等の電子写真方式の画像記録装置では、感光体上にトナー像を形成し、該トナー像を記録紙に転写した後、該記録紙を発熱する加熱回転体とそれに圧接する加圧回転体との間を通過させることによって、熱と圧力により前記トナー像を記録紙に永久固着させる定着装置を有するものが汎用されている。
【０００３】
然るに、近年、画像記録装置のカラー化、高画質化により、加圧回転体または加熱回転体に形成される弾性層の厚みが増し、かつ、高速化が要求されるため記録紙の搬送速度が速くなり、熱供給が追いつかず定着性の不足が問題となっている。
【０００４】
この対策として、加圧回転体または加熱回転体に対し外部から表面を加熱する補助加熱回転体を接触して配設した定着装置、更には、加圧回転体または加熱回転体に対し、表面の汚れを防止するクリーニング手段と表面を加熱する補助加熱回転体とを配設した定着装置、を備えた画像記録装置が提案されている。
【０００５】
図４は従来の定着装置の構成を説明するための模式的断面図である。
内部にハロゲンランプ等の熱源Ｈａを有する加熱回転体である加熱ローラ１７１を定着装置の図示しないハウジングに固定して駆動回転させ、対する加圧回転体である加圧ローラ１７２を前記加熱ローラ１７１にスプリング（不図示）等の付勢により押圧させつつ従動回転させる構成をとっている。
【０００６】
加熱ローラ１７１は、圧接する加圧ローラ１７２との間に記録紙Ｐを挟み込んで記録材である記録紙Ｐに搭載されたトナー像を加熱及び加圧により定着する。
【０００７】
また、加熱ローラ１７１の外周には加熱ローラ１７１表面をクリーニングするウェブＷが当接され、当接する面の背面にはウェブＷを介して加熱ローラ１７１を圧接するバックアップローラ１７４が配設され、バックアップローラ１７４の近傍にウェブ巻き取りローラ１７５とウェブ送りだしローラ１７６とが配設されている。
【０００８】
補助加熱回転体である補助加熱ローラ１７３は、加圧ローラ１７２の外周に接する位置に配設され、内部に熱源Ｈｂを有する。
【０００９】
加圧ローラ用清掃ローラ１７７は加圧ローラ１７２の外周に接する位置に配設されている。
【００１０】
未定着のトナー像を搭載した記録紙Ｐが加熱ローラ１７１と加圧ローラ１７２とが圧接するニップ部Ｎに挟み込まれたとき、熱と圧力により記録紙Ｐ上のトナーが溶融し定着されるが、このとき、全てのトナーが記録紙Ｐに定着されず、一部のトナーが加熱ローラ１７１に付着する場合がある。
【００１１】
加熱ローラ１７１に付着したトナーは、その大部分はウェブＷにより拭き取られるが、中にはウェブＷをすりぬけて加圧ローラ１７２と加熱ローラ１７１とのニップ部Ｎに達するものがある。ニップ部Ｎに達したトナーには加熱ローラ１７１に付着したままのものと、加圧ローラ１７２に転移するものとがある。
【００１２】
加圧ローラ１７２に転移したトナーは、大部分が加圧ローラ用清掃ローラ１７７により除去され、除去されたトナーが加圧ローラ用清掃ローラ１７７外周に堆積するが、その堆積量が増えると一部のトナーは除去されずにすりぬけて加圧ローラ１７２上に転移する場合がある。
【００１３】
加圧ローラ１７２上に転移したトナーは、加圧ローラ１７２の回転により補助加熱ローラ１７３と当接する位置に達し補助加熱ローラ１７３表面に付着するものがあるが、補助加熱ローラ１７３表面でのトナーの堆積量が増えると加圧ローラ１７２表面に転移し搬送されニップ部Ｎに達することがある。
【００１４】
ニップ部Ｎに達したトナーは、記録紙Ｐに付着するか加熱ローラ１７１に再付着して、画像汚れを発生させる恐れがある。
【００１５】
また、前記加圧ローラ用清掃ローラ１７７により除去されたトナーであっても、画像形成枚数が多くなり加圧ローラ用清掃ローラ１７７に付着するトナーが増加したとき、或いは、熱可塑性トナーを用いた場合で加圧ローラ１７２の温度の上昇により当該トナーが軟化したとき、トナーが加圧ローラ用清掃ローラ１７７から加圧ローラ１７２に転移（再付着）し易くなる。
【００１６】
加圧ローラ１７２に再付着したトナーは、前記加熱ローラ１７１から転移したトナーと同様に、記録紙Ｐに付着するか加熱ローラ１７１に再付着することにより、画像汚れを発生させる恐れがある。
【００１７】
【発明が解決しようとする課題】
これまで述べてきたように、加圧ローラまたは加熱ローラに補助加熱ローラを接触させると、加圧ローラまたは加熱ローラに付着したトナーや紙粉等の異物が補助加熱ローラの外周表面に転移して堆積することがある。その後の加圧ローラまたは加熱ローラの温度上昇により当該異物が溶融または軟化して補助加熱ローラの外周表面から加圧ローラまたは加熱ローラを介して記録紙に転移するという画像汚れが発生する恐れがある。
【００１８】
また、加圧ローラまたは加熱ローラ表面に汚れを防止するクリーニング手段を設けた装置であっても、当該クリーニング手段に溜まった異物が加圧ローラまたは加熱ローラを介して補助加熱ローラに転移し、補助加熱ローラ外周表面に付着することがある上に、前記クリーニング手段の装着により画像記録装置の構成が複雑になるという問題がある。
【００１９】
前記補助加熱ローラ配設に起因する異物付着は、使用するトナーに熱可塑性トナーを用いた場合、前記加圧ローラまたは加熱ローラの温度上昇でトナーが溶融または軟化するため、更に発生し易くなる。
【００２０】
本発明は上記の問題点を解決し、補助加熱ローラを用いてもトナー等の異物が加圧ローラまたは加熱ローラに転移（再付着）することがなく、従って画像汚れの発生のない定着装置を有する画像記録装置を提供することを目的とする。
【００２１】
【課題を解決するための手段】
上記目的は下記の構成により達成される。
【００２２】
（１）加熱回転体と、当該加熱回転体に圧接する加圧回転体と、内部に熱源を配設し前記加熱回転体または前記加圧回転体の表面に接するように配設された補助加熱回転体とを備え、トナー像を搭載した記録材を前記加熱回転体と前記加圧回転体との加熱及び圧接により定着する定着装置を有する画像記録装置において、
かきとり部材を、当該かきとり部材の先端が前記補助加熱回転体の表面に当接するように配設したことを特徴とする定着装置を有する画像記録装置。
【００２３】
（２）前記トナー像を形成するトナーは、熱可塑性トナーであることを特徴とする（１）に記載の画像記録装置。
【００２４】
（３）前記かきとり部材を厚さ０．０５〜０．２ｍｍの板状の部材で形成することを特徴とする（１）または（２）に記載の画像記録装置。
【００２５】
（４）前記補助加熱回転体の外周近傍に配設された温度検出センサによる検知温度が所定の温度以下に低下したとき、制御部からの指令により前記加熱回転体または前記加圧回転体の駆動回転が阻止され、従動回転する前記補助加熱回転体が回転を停止するように構成されていることを特徴とする（１）乃至（３）のいずれか１項に記載の画像記録装置。
【００２６】
（５）前記補助加熱回転体の外周近傍に配設された温度検出センサによる検知温度が所定の温度に上昇したとき、制御部からの指令により前記加熱回転体または前記加圧回転体の駆動回転阻止が解除され、前記補助加熱回転体が従動回転するように構成されていることを特徴とする（１）乃至（４）のいずれか１項に記載の画像記録装置。
【００２７】
【発明の実施の形態】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００２８】
図１は、本発明にかかわる定着装置を有する画像記録装置の一実施の形態を示す電子写真方式を用いたデジタル複合機の概要断面図である。
【００２９】
図に示す画像記録装置は、デジタル方式を用いた複合機能を有する画像記録装置であって、装置本体の上部に自動原稿搬送装置ＡＤＦを設けるとともに、画像読取り部Ａ、画像処理部Ｂ（図示省略）、画像形成部Ｃ、記録紙給送部Ｄから構成されている。
【００３０】
自動原稿搬送装置ＡＤＦは、装置本体の上部に設けられ、原稿を一枚ずつ送り出し、原稿の画像読取位置へと搬送し、画像読取が終わった原稿を排紙する装置である。原稿載置台１１１上に載置された複数枚の原稿は、原稿分離ローラ１１２によって分離され、１枚ずつ搬送される。原稿分離ローラ１１２によって分離・搬送された原稿は、原稿搬送ローラ１１３によって搬送され、下方に設けられた画像読取り部Ａによって、スリット２１１を通して、原稿の画像が読み取られる。画像が読み取られた原稿は、原稿排紙ローラ１１４によって、原稿排紙台１１５上へと排紙される。ところで、原稿の両面の画像を読み取る際には、画像が読み取られた原稿は、原稿反転部１１６によって原稿の表裏が反転されて、再度、原稿搬送ローラ１１３によって搬送され、画像読取り部Ａによって、スリット２１を通して、原稿の裏面の画像が読み取られる。そして、裏面の画像が読み取られた原稿は、原稿排紙ローラ１１４によって、原稿排紙台１１５上へと排紙される。このような工程を、原稿載置台１１１上に載置された原稿の枚数分繰り返され、原稿の画像が読み取られる。
【００３１】
また、自動原稿搬送装置ＡＤＦは、一体に可倒式に構成されており、この自動原稿搬送装置ＡＤＦを起こしてプラテンガラス２１２上を開放することにより、プラテンガラス２１２上に原稿を直接載置することができるように構成している。なお、本実施の形態では、原稿搬送ローラ１１３によって原稿を搬送しながら、原稿の画像を読み取るように構成しているが、原稿搬送ローラ１１３によって搬送された原稿をプラテンガラス２１２上に静止させた上で画像を読み取るように構成してもよい。
【００３２】
画像読取り部Ａは、原稿の画像を読み取り画像データを得る手段であり、装置本体内の上部に設けられている。この画像読取り部Ａは、自動原稿搬送装置ＡＤＦの原稿搬送ローラ１１３によって搬送されている原稿の画像を読み取るためのスリット状の開口部であるスリット２１１と、原稿を直接載置（静置）するための原稿台であるプラテンガラス２１２と、原稿に光照射する光源であるランプと原稿からの反射光を反射させる第１ミラーとを一体化している第１ミラーユニット２１３と、第１ミラーからの光を反射させる第２ミラーと第３ミラーとを一体化したＶミラーユニット２１４と、スリット２１１上或いはプラテンガラス２１２上の原稿からの反射光をＣＣＤイメージセンサ２１６に結像させる結像手段である結像レンズ２１５と、結像レンズ２１５によって結像された光像を光電変換して画像情報を得る画像読取手段であるライン状のＣＣＤイメージセンサ２１６とによって構成されている。
【００３３】
自動原稿搬送装置ＡＤＦによって送られている原稿を、画像読取り部Ａで読み取る際は、第１ミラーユニット２１３及びＶミラーユニット２１４は、図１において左方に移動し、第１ミラーユニット２１３がスリット２１１の下方に位置している。そして、原稿搬送ローラ１１３によってスリット２１１上を搬送されている原稿を、ランプで光照射し、原稿から反射した光は、第１ミラーユニット２１３、Ｖミラーユニット２１４、結像レンズ２１５を介して、ＣＣＤイメージセンサ２１６に入射する。ＣＣＤイメージセンサ２１６では、入射した光を光電変換して、主走査方向（図１において紙面垂直方向）に原稿の画像を読み取り、一方、原稿が原稿搬送ローラ１１３によって副走査方向に移動されているので、原稿全面の画像を読み取ることができる。ＣＣＤイメージセンサ２１６で読み取った画像情報は順次電気信号（輝度信号）に光電変換されたのちＡ／Ｄ変換を行い、画像処理部Ｂにおいて濃度変換、フィルタ処理などの処理が施され、画像データは一旦メモリにストアされた後、レーザ書込系を用いた画像書込手段である露光光学系１２に供される。
【００３４】
また、プラテンガラス２１２上に原稿が直接載置された場合は、第１ミラーユニット２１３とＶミラーユニット２１４とを、プラテンガラスに沿って、図１において右方向に移動させながら、原稿の画像を読み取ることができる。
【００３５】
画像形成部Ｃは、画像読取り部Ａで得た画像データに基づいて所定のプロセススピードで搬送されている記録紙上に画像形成を行う。本実施の形態の画像形成部Ｃは、電子写真プロセスを用いて画像を形成するものである。
【００３６】
画像形成部Ｃでは、画像形成ユニットとして像担持体である感光体ドラム１０の外周に、帯電手段である帯電器１１、現像手段である現像器１３、転写手段である転写器１４ａ、分離手段である分離器１４ｂ、クリーニング手段であるクリーニング装置１８が各々動作順に配置されている。感光体ドラム１０は、光導電性化合物をドラム基体上に塗布形成したもので、例えば有機感光体（ＯＰＣ）が使用され、図示の時計方向に駆動回転される。
【００３７】
回転する感光体ドラム１０へは帯電器１１による一様帯電がなされた後、露光光学系１２により画像処理部Ｂのメモリより呼び出された画像信号に基づいた像露光（画像書込）が行われる。画像書込手段である露光光学系１２は図示しないレーザダイオードを発光光源とし、画像情報に基づきレーザビーム光が変調され、回転するポリゴンミラー１２ａ、ｆθレンズ（符号なし）、シリンドリカルレンズ（符号なし）を経て反射ミラー１２ｂにより光路が曲げられ主走査がなされるもので、感光体ドラム１０上の所定位置において像露光（画像書込）が行われ、感光体ドラム１０の回転（副走査）によって潜像が形成される。本実施例では文字部に対して露光を行い反転潜像を形成する。
【００３８】
感光体ドラム１０上の反転潜像は現像器１３によって反転現像が行われ、感光体ドラム１０の感光層面にトナー像による可視画像が形成される。
【００３９】
記録紙給送部Ｄでは、画像形成ユニットの下方に異なるサイズの記録紙Ｐが収納された記録紙収納手段である給紙カセット４１ａ〜４１ｃを有する給紙ユニット４Ａ、４Ｂ、４Ｃが設けられていて、記録紙Ｐが何れかの給紙カセット４１ａ〜４１ｃより、送り出しローラ４２ａ〜４２ｃ、捌きローラ４３ａ〜４３ｃにより送り出され、中間搬送ローラ４４ａ〜４４ｃ、案内ローラ４５を経て搬送部４０の入口側のレジストローラ４６へと搬送される。
【００４０】
また、画像形成部Ｃの側方には手差し給紙を行うための手差し給紙装置６０が設けられていて、側板６２、６３により位置出しされて手差し給紙台６１に積載される記録紙Ｐは、手差し給紙が選択された場合、押し上げ板６４により手差し送り出しローラ６５へ押圧される状態とされ、手差し送り出しローラ６５と手差し捌きローラ６６とにより、手差し給紙台６１上から１枚ずつ送り出され、レジストローラ４６へと搬送される。
【００４１】
上記それぞれの方法により給紙される記録紙Ｐは、レジストローラ４６によって記録紙の傾きと偏りの修正を行い一時停止された後、感光体ドラム１０上のトナー像と同期が取られてレジストローラ４６から再給紙が行われ、転写前ローラ４７を経て転写器１４ａの転写域へと搬送される。
【００４２】
感光体ドラム１０上のトナー像は転写域において、転写器１４ａによって記録紙Ｐ上に転写され、次いで分離器１４ｂによって除電されて感光体ドラム１０面より分離され、搬送ベルト１４ｃにより定着装置１７に搬送される。
【００４３】
定着装置１７は加熱ローラ１７１と加圧ローラ１７２とを有しており、記録紙Ｐを加熱ローラ１７１と加圧ローラ１７２との間を通過させることにより、加熱、加圧によってトナー像が記録紙Ｐ上に溶融、固着される。
【００４４】
転写後の感光体ドラム１０の周面上に残った転写残トナーは、クリーニング手段であるクリーニング装置１８によりクリーニングされる。
【００４５】
片面のトナー像の定着を終えた記録紙Ｐは次に述べるモードにしたがって他面にもトナー画像を形成する両面画像形成を行い、或いは片面画像の状態で排紙トレイ１９上に排出される。
【００４６】
両面画像形成モードが選択されたときは、上述した表面の画像定着を終えた記録紙Ｐは、反転切替部材５２を有する反転搬送路５０、スイッチバック経路５０ａ、第２反転搬送路５０ｂから構成されるＡＤＵ機構の、反転搬送路５０に沿って下降し、スイッチバック経路５０ａに一旦搬入されたのち搬出されて表面と裏面との反転が行われ第２反転搬送路５０ｂを通って、前述した案内ローラ４５によって搬送部４０に沿って再給紙され、記録紙の傾きと偏りの補正を行うレジストローラ４６によって記録紙Ｐは一時停止を行ったのち再給紙が行われ、感光体ドラム１０上に再度形成された裏面画像のトナー像が転写器１４ａの転写域において記録紙Ｐの裏面に転写されたのち分離搬送され、定着がなされて排紙トレイ１９上に排出される。
【００４７】
また、片面画像形成モードが選択されたときは、表面画像の定着を終えた記録紙Ｐはそのまま直進して排紙トレイ１９上に排出され、或いは反転切替部材５２によって上下面の反転を行ったのち排紙トレイ１９上に排出される。
【００４８】
図２は本発明の一実施の形態である補助加熱ローラが加圧ローラの外周に接触して配設された定着装置の構成を説明するための模式的断面図である。
【００４９】
図４で説明した従来の定着装置の構成と同一の部材については同一の番号を付してあり、構成及び動作が従来装置と同一の場合の説明については省略する。
【００５０】
本発明の定着装置の構成が図４に示す従来の構成と異なる点は、加圧ローラ１７２の外周に接触して配設した補助加熱ローラ１７３の外周近傍にかきとりユニットＫＢと温度検出センサＳＴとを設けた構成とした点であり、加圧ローラ１７２の外周に加圧ローラ用清掃ローラ１７７が無い構成となっている点である。
【００５１】
かきとりユニットＫＢはかきとり部材ＫＢ１とかきとり部材ホルダＫＢ２とで構成される。
【００５２】
補助加熱ローラ１７３は、定着装置の図示しないハウジングに回転自在に保持されると共に、図示しないばね部材により加圧ローラ１７２の外周に圧接する方向に付勢されて配設され、加圧ローラ１７２の回転に伴い従動回転する。
【００５３】
補助加熱ローラ１７３の外周近傍には、かきとりユニットＫＢがかきとり部材ＫＢ１の先端を補助加熱ローラ１７３の外周に食い込ますように配設されると共に、温度検出センサＳＴが前記ハウジングに配設される。
【００５４】
未定着のトナー像を搭載した記録紙Ｐが加熱ローラ１７１と加圧ローラ１７２とが圧接するニップ部Ｎに挟み込まれたとき、従来の定着装置におけるトナーの転移動作と同様に、一部のトナーに記録紙Ｐから加熱ローラ１７１に転移し付着するものがあり、当該トナーが、加熱ローラ１７１外周に配設されたウェブＷをすりぬけて加圧ローラ１７２と加熱ローラ１７１とのニップ部Ｎに達し、更に、加圧ローラ１７２を経て補助加熱ローラ１７３外周に達し付着するものがある。
【００５５】
然るに、本発明に係る、補助加熱ローラ１７３外周に配設されたかきとりユニットＫＢに含まれるかきとり部材ＫＢ１により、補助加熱ローラ１７３外周に付着したトナーや紙粉等の異物がかき落とされ補助加熱ローラ１７３外周及び加圧ローラ１７２外周から離間される。
【００５６】
かきとり部材ＫＢ１は、前記異物が加圧ローラ１７２や加熱ローラ１７１を介して記録紙Ｐに転移し画像汚れを生じさせることを防止しているのである。
【００５７】
一方、補助加熱ローラ１７３の温度が低いときに当該補助加熱ローラ１７３を回転させると、当該補助加熱ローラ１７３とかきとり部材ＫＢ１との間に固化したトナーを挟み込んで補助加熱ローラ１７３の表面にきずを付ける恐れがある。
【００５８】
これを防止するため、補助加熱ローラ１７３の温度が低下しトナーが固化するときの所定温度を予め画像記録装置本体制御部のメモリに入力しておき、温度検出センサＳＴにより検知された温度が当該所定温度に達したときには、制御部から指令を発して、加圧ローラ１７２または加熱ローラ１７１が回転しないように制御（阻止）する。
【００５９】
また、温度検出センサＳＴにより検知された補助加熱ローラ１７３の温度が上昇しトナーが軟化する所定温度に達したときには、制御部からの指令により加圧ローラ１７２または加熱ローラ１７１の回転の阻止を解除する。
【００６０】
即ち、加圧ローラ１７２または加熱ローラ１７１は、補助加熱ローラ１７３の温度が上昇しトナーが軟化する温度に達するまでは回転せず、補助加熱ローラ１７３の温度が低下したときにはトナーが固化する温度に達する前に加圧ローラ１７２または加熱ローラ１７１を駆動する駆動モータ（不図示）の回転が阻止されるため、補助加熱ローラ１７３も回転しないように制御される。
【００６１】
本実施の形態ではかきとり部材を備えた補助加熱ローラが加圧ローラ外周に配設された構成について説明したが、当該補助加熱ローラが加熱ローラ外周に配設された構成でも良いことは言うまでもない。
【００６２】
図３は本発明に係る補助加熱ローラに対するかきとり部材の取付位置を説明するための概略図である。
【００６３】
図において、かきとり部材ＫＢ１の先端が補助加熱ローラ１７３に当接する位置において、補助加熱ローラ１７３表面の接線に対するかきとり部材ＫＢ１先端の傾斜角αは２０°〜５０°が望ましく、かきとり部材ＫＢ１先端の補助加熱ローラ１７３表面に対する食い込み量ｄは０．１〜２．０ｍｍが望ましい。
【００６４】
補助加熱ローラ１７３は、一般に、金属パイプの表面にフッ素系樹脂をコーティングして形成される。かきとり部材ＫＢ１としては、耐熱性及び弾性を有するポリイミド等の樹脂シート材（板状の部材）で厚さ０．０５〜０．２ｍｍのものが適している。
【００６５】
また、本発明に係るかきとり部材は、使用するトナーが熱可塑性トナーであれば、加圧ローラ用清掃ローラや補助加熱ローラに付着したトナーが温度上昇に伴いかきとられ易くなるため、画像汚れ防止に対しより効果的に適用できる。
【００６６】
【発明の効果】
本発明によれば、加圧ローラまたは加熱ローラの外周に接触して配設されるかきとり部材を備えた補助加熱ローラを用いることにより、当該補助加熱ローラに付着したトナーや紙粉等の異物がその都度かき落とされるため加圧ローラや加熱ローラに転移（再付着）することがない。従って画像汚れの発生のない定着装置を有する画像記録装置を提供することができる。
【００６７】
また、補助加熱ローラの外周近傍に設けた温度検出センサにより補助加熱ローラの温度を検知し、トナーが固化する温度では加圧ローラまたは加熱ローラの回転を停止することにより、補助加熱ローラを従動回転させることがなく、固化したトナーにより補助加熱ローラの表面にきずを付けることを防止できる。
【図面の簡単な説明】
【図１】本発明にかかわる画像記録装置の一実施の形態を示す電子写真方式を用いたデジタル複合機の概要断面図。
【図２】本発明の一実施の形態である補助加熱ローラが加圧ローラの外周に接触して配設された定着装置の構成を説明するための模式的断面図。
【図３】本発明に係る補助加熱ローラに対するかきとり部材の取付位置を説明するための概略図。
【図４】従来の定着装置の構成を説明するための模式的断面図。
【符号の説明】
１７　定着装置
１７１　加熱ローラ
１７２　加圧ローラ
１７３　補助加熱ローラ
Ｈａ、Ｈｂ　熱源
ＳＴ　温度検出センサ
ＫＢ　かきとりユニット
ＫＢ１　かきとり部材
ＫＢ２　かきとり部材ホルダ
Ｐ　記録紙
【図１】
2004020803.tif 000003
【図２】
2004020803.tif 000004
【図３】
2004020803.tif 000005
【図４】
2004020803.tif 000006